(57)【要約】【課題】消費者が無駄な保管スペースを確保する必要がなく、有効期限切れ在庫や欠品の発生を防止でき、在庫滞留時間の長期化が避けて、先入先出を確実に履行できる新たな在庫管理システムを得るにある。【解決手段】複数種及び複数の消費財について消費者Ｃが必ず消費することを保管管理者Ｚに約して特定数量の消費財を消費財供給者Ｓから保管管理者Ｚに納品させ、これらの消費財の保管、在庫管理及び輸送を行う前記保管管理者Ｚの在庫管理データベースＤに少なくとも消費財の種別、数量を登録して消費者Ｃへの納品出庫を差し引いた在庫状態を管理させる保証付在庫管理システム。【選択図】図２
2005075511.tif 000002
【特許請求の範囲】
【請求項１】
複数種及び複数の消費財について消費者が必ず消費することを保管管理者に約して特定数量の消費財を消費財供給者から保管管理者に納品させ、これらの消費財の保管、在庫管理及び輸送を行う前記保管管理者の在庫管理データベースに少なくとも消費財の種別、数量を登録して消費者への納品出庫を差し引いた在庫状態を管理させることを特徴とする保証付在庫管理システム。
【請求項２】
前記保管管理者は消費財供給者から納品された消費財を流動在庫として一定期間の間所有し、保管されたそれらの所有消費財を消費者に再譲渡することを特徴とする請求項１記載の保証付在庫管理システム。
【請求項３】
前記保管管理者には消費者に代わって個別消費財ごとの発注代行権が与えられ、消費者から委任された同保管管理者からの発注により個別消費財ごとの在庫数量が略一定数量に維持されることを特徴とする請求項１または請求項２記載の保証付在庫管理システム。
【請求項４】
前記消費者は多品種消費財を扱う医療機関であり、前記保管管理者は倉庫と輸送手段を備えた流通業者であり、前記消費財供給者は医療関係の生産者、販売者、卸業者であることを特徴とする請求項１から請求項３のいずれかひとつに記載の保証付在庫管理システム。
【発明の詳細な説明】
【技術分野】
【０００１】
本発明は複数種の多量消費財の在庫管理システムに関し、特に、保管能力や在庫管理能力に乏しい消費者に代わって予め必要な量の複数種の消費財を在庫管理するシステムに関する。
【背景技術】
【０００２】
周知のように、多品種かつ多量の医薬品や医療補助品（消費財）などを消費する医療機関においては、限られた保管スペース内に多量の消費財を確保して保管することは、スペース的な制約や在庫管理技術の点で事実上無理である。
このため、従来では、多量に消費する消費財については、購入した消費財を生産者などの消費財供給者に一時的に貯託する貯託在庫の手法がとられているけれども、このような貯託在庫の場合、融通性のない一定数量の保管なため、欠品や有効期限切れ在庫の発生や欠品を防止することが困難であった。
【０００３】
図１は従来の貯託在庫を行う場合の在庫管理モデルであり、図１において符号１は商流つまり消費者Ｃからの発注と金銭決済を示し、また、符号２，３は消費財の物流つまり消費財供給者Ｓでの在庫保管の流れを、消費者Ｃへの納品をそれぞれ示している。
即ち、消費財の商流１は、消費者Ｃと、特定の消費財の生産者、消費財の販売会社、あるいは卸業者などの消費財供給者Ｓとの間で成立し、物流２は、消費者Ｃと、消費財の生産者，販売会社、あるいは消費財の卸業者などの消費財供給者Ｓとの間で成立するもので、物流３においては、通常（納入価格に物流費が含まれている場合）は消費財供給者Ｓが負担するため、消費者Ｃの域内に在庫があっても、物流２と物流３との間に存在する貯託在庫の管理や運営も消費財供給者Ｓが担っている。
【特許文献１】特開２００３−２２６４０７
【特許文献２】特開２００３−２２３２１１
【発明の開示】
【発明が解決しようとする課題】
【０００４】
前述した貯託在庫による在庫管理モデルでは、消費財の生産者、販売会社、あるいは卸業者などが販売促進手段のひとつとして、または、消費者Ｃ域内の保管場所で実施される場合が多いので、無駄な保管スペースの確保、有効期限切れ在庫や欠品の発生、在庫滞留時間の長期化が避けられず、先入先出の不履行といった事態を防止または低減させることは無理であった。
【０００５】
本発明の目的は、以上に述べたような従来の貯託在庫モデルの現状に鑑み、消費者が無駄な保管スペースを確保する必要がなく、有効期限切れ在庫や欠品の発生を防止でき、在庫滞留時間の長期化を避けて、先入先出を確実に履行できる新たな在庫管理システムを得るにある。
【課題を解決するための手段】
【０００６】
この目的を達成するため，本発明は、複数種及び複数の消費財について消費者が必ず消費することを保管管理者に約して特定数量の消費財を消費財供給者から保管管理者に納品させ、これらの消費財の保管、在庫管理及び輸送を行う前記保管管理者の在庫管理データベースに少なくとも消費財の種別、数量を登録して消費者への納品出庫を差し引いた在庫状態を管理させる保証付在庫管理システムを提案するものである。
【発明の効果】
【０００７】
本発明によれば、消費財の保管、在庫管理及び輸送を行う専門の保管管理者により消費者の消費財の在庫管理、倉庫運営を請け負わせるので、消費者が広い保管スペースを確保する必要がなくなるばかりでなく、保管管理者による頻繁なチェックにより有効期限切れ在庫や欠品の発生を予防でき、在庫滞留時間の長期化が避けて、先入先出を確実に履行できる効果がある。
【発明を実施するための最良の形態】
【０００８】
後述する本発明の好ましい実施例においては、
1)  前記保管管理者は消費財供給者から納品された消費財を流動在庫として一定期間の間所有し、保管されたそれらの所有消費財を消費者に再譲渡する保証付在庫管理システム、
2)  前記保管管理者には消費者に代わって個別消費財ごとの発注代行権が与えられ、消費者から委任された同保管管理者からの発注により個別消費財ごとの在庫数量が略一定数量に維持される保証付在庫管理システム、
3)  前記消費者は多品種消費財を扱う医療機関であり、前記保管管理者は倉庫と輸送手段を備えた流通業者であり、前記消費財供給者は医療関係の生産者、販売者、卸業者である保証付在庫管理システム
が説明される。
【実施例１】
【０００９】
以下、図２及び図３について本発明による保証付在庫管理システムの実施例の詳細を説明する。
図２において、符号４は商流つまり消費者Ｃからの発注を示し、また、符号５，６は消費財の物流つまり消費財供給者Ｓでの在庫保管の流れを、消費者Ｃへの納品をそれぞれ示している。
【００１０】
即ち、例えば医薬品である消費財の商流４は、例えば医療機関である消費者Ｃ自ら、または、消費財の保管、在庫管理及び輸送を行う保管管理者Ｚ（倉庫と輸送手段を備えた流通業者）が消費者Ｃに代わって、消費財供給者Ｓである消費財の生産者、消費財の販売会社、あるいは卸業者などとの間で成立し、同消費財の物流５は同保管管理者Ｚと消費財供給者Ｓとの間で一定数量の納品として成立し現在在庫量は図３に示す保管管理者Ｚの在庫管理データベースＤに登録して管理される。そして、物流６は同保管管理者Ｚと在庫管理を委託した消費者Ｃとの間で多品種少量納品の形式で成立するが、消費財の代金並びに輸送・管理費などの決済は保管管理者Ｚと消費者Ｃとの間の事前契約による。
【００１１】
つまり、この保管管理者Ｚと消費者Ｃとの間の事前契約には、消費者Ｃの財産としない保管管理者Ｚの在庫消費財を、消費者Ｃが必ず買い上げることを保証すること、並びに、在庫管理を請け負った保管管理者Ｚはそれらの消費財を流動在庫として一定期間所有し、それらの消費財の消費者Ｃへの供給を保証することが含まれる。
【００１２】
また、保管管理者Ｚと消費者Ｃとの間の事前の保証契約条件には、保管される個別消費財毎の基準在庫量の設定、消費財が新製品に変更される場合は旧品使用後とすること、消費者Ｃや消費財供給者Ｓの意思で在庫中の消費財が廃棄処分される場合、消費者Ｃが実在庫代金を支払うことの保証、設定された基準在庫量を超える消費者Ｃの発注は禁止されること、帳簿上（在庫管理データベースＤ）の在庫と実在庫の差異は帳簿上の在庫を正とし、実際在庫の過少差異リスクは保管管理者Ｚが責任を負うこと、保証在庫を運営する諸経費の負担などの規定がが必要になる。
しかしながら、適正な在庫量を維持するためには、同保証契約条件の中に、個別消費財についての発注代理を消費者Ｃから保管管理者Ｚに委託する旨の規定しておき、不足在庫の場合に保管管理者Ｚから直接に消費財供給者Ｓに発注を行う方が確実に一定水準の在庫量を保つことができる。
【００１３】
図３は複数の消費者１及び消費者２からの請負により多品種、多量の消費財の保管、在庫管理、消費者Ｃ１及び消費者Ｃ２への配送を行う保管管理者Ｚの在庫管理データベースＤ及び倉庫と複数の消費財供給者Ｓ１及び消費財供給者Ｓ２との関係を示している。
【００１４】
図３において、保管管理者Ｚが複数の消費者Ｃ１及び消費者Ｃ２から発注代理を委託されている場合、特定の消費財が適正在庫水準を下回っていると、商流７を介して保管管理者Ｚから直接に不足数の特定消費財が消費財供給者Ｓ１及び消費財供給者Ｓ２に注文され、これらの注文消費財が消費財供給者Ｓ１及び消費財供給者Ｓ２から物流８により保管管理者Ｚの倉庫Ｋに納品され、この納品消費財の個数が在庫管理データベースＤに登録される。
【００１５】
また、保管管理者Ｚの倉庫Ｋに保管された消費財は、保管委託者である消費者Ｃ１または消費者Ｃ２の指示により、物流９において、これらの消費者Ｃ１または消費者Ｃ２に少量ずつ納品されるが、これらの納品済み消費財の個数はフィードバック１０により在庫管理データベースＤに登録され、この在庫管理データベースＤで現在在庫が管理・運営される。
【産業上の利用可能性】
【００１６】
なお、前述した本発明の実施例の説明においては、消費者Ｃの例として多品種かつ多量の消費財を消費する医療機関の例を挙げたが、本発明の保証付在庫管理システムは多品種かつ多量の消費財を消費する他の分野の企業や公的機関などにも適用できるのは改めて指摘するまでもない。
【図面の簡単な説明】
【００１７】
【図１】従来の貯託による在庫管理モデルの概念図である。
【図２】本発明による保証付在庫管理システムの概念図である。
【図３】複数の消費者から在庫管理を請け負う場合の保管管理者の在庫管理データベース、消費財供給者、消費者の関係を示すブロック図である。
【符号の説明】
【００１８】
Ｃ        消費者
Ｄ        在庫管理データベース
ＫＳ      消費財供給者
４        商流
５，６    物流
【図１】
2005075511.tif 000003
【図２】
2005075511.tif 000004
【図３】
2005075511.tif 000005